(57)【要約】      （修正有）【課題】生産コストが低く、電子カード検出機能を有するカード接続器を提供する。【解決手段】絶縁本体１と、複数の接続端子２と、遮蔽殻体５と、検出端子４と、を含む。絶縁本体１は、基板１１１を有し、基板の一側に上向きに側壁１１２を形成し、もう一側に上向きに収容体１２３を形成し、側壁と、収容体と、基板がカード挿入空間１１３を囲み、絶縁本体上に複数の端子溝１１７と、収容槽１１５を設ける。複数の接続端子は、それぞれ端子溝に装着される。検出端子は、収容槽内に固持され、該検出端子の一部分は、接続端子と相対する。本考案は、電子カードを挿入後、電子カード上の接触パッド６１が検出端子の弾性接触部と相応する接続端子の接続端とに同時に接触し、検出端子と相応する接続端子を導通させ、電子カードが正確に挿入されているか否かを検出する機能を実現する。【選択図】図２
0003150838.tif 000002
【実用新案登録請求の範囲】
【請求項１】
絶縁本体と、複数の接続端子と、遮蔽殻体と、検出端子と、を含み、
前記絶縁本体は、基板を有し、基板の一側に、上向きに側壁を延伸形成し、もう一側に上向きに収容体を延伸形成し、側壁と、収容体と、基板とがカード挿入空間を囲い、該絶縁本体上に複数端子と収容溝を設け、
前記複数の接続端子は、それぞれ端子溝内に装着され、該接続端子は、それぞれ固定端と、固定端から延伸形成する接触端と、固定端上から湾曲して延伸形成するピン接続端と、を有し、接触端がカード挿入空間内に弾性的に伸入し、
前記遮蔽殻体は、該絶縁本体上に覆蓋し、
前記検出端子は、収容溝内に固定保持され、該検出端子は、カード保持部と、カード保持部の一端から湾曲して延伸形成される溶接部と、カード保持部のもう一端から傾斜して延伸形成される接続部と、接続部の末端から湾曲して延伸形成される弾性接触部と、を有し、弾性接触部は、カード挿入空間内に弾性的に伸入し、該弾性接触部の位置と前記接続端子の接触端が相対するカードコネクタ。
【請求項２】
前記絶縁本体の一側壁上に基板底部を貫通する溝を開設し、収容溝が基板を貫通し且つ溝と相通する接続溝と、接続溝の側壁上に開設し且つ溝と相通するカード保持溝と、基板上表面から凹設し且つ接続溝一端と相通する凹溝と、を有し、凹溝と前記端子溝が相通し、検出端子のカード保持部がカード保持溝内に保持され、接続部が接続溝内に収容され、溶接部が溝内に収容される請求項１記載のカードコネクタ。
【請求項３】
前記弾性接触部は、上向きに接触凸ブロックを凸設する請求項１記載のカードコネクタ。
【請求項４】
前記絶縁本体上にカード挿入空間一側に位置する滑動凹溝を設け、滑動凹溝後壁上に一制限柱を凸設し、滑動凹溝内にカード取り外し機構を設置し、該カード取り外し機構は、滑動ブロックと、弾性部材と、導引ロッドと、を有し、該滑動ブロックは、該滑動凹溝中に滑動的に設置され、滑動ブロック一端は、該カード挿入空間方向に突出するフック部を有し、滑動ブロック上表面に軌跡曲線溝を開設し、滑動ブロック上に位置制限柱を凸設し、導引ロッド一端は、該絶縁本体上に固定され、もう一端が該活動ブロックの軌跡曲線溝中に活動的収容されることができる請求項１記載のカードコネクタ。
【請求項５】
前記遮蔽殻体上に弾性圧制片を設置し、弾性圧制片が導引ロッド上に押圧される請求項４記載のカードコネクタ。
【請求項６】
前記収容体と側壁端は、外向きに凸部を凸設し、基板上にピン溶接溝を凹設し、基板のもう一側に内向きに弾性片側溝を凹設し、遮蔽殻体は、マスク板と、それぞれ該マスク板一側から下向きに延伸形成する２つの側板と、を有し、側板上に内向きに傾斜する弾性片を延伸し、側板下縁に内向きに第１ピンと第２ピンを延伸形成し、両側板は、一端部にそれぞれカード溝をそれぞれ設け、弾性片が絶縁本体の弾性片側溝内に収容され、弾性片の末端が弾性片側溝の内壁に押圧され、第１ピンは、溶接溝上にフックし、カード溝が凸部と嵌合する請求項４記載のカードコネクタ。
【考案の詳細な説明】
【技術分野】
【０００１】
本考案は、カードコネクタに関し、電子カード検出機能を有するカードコネクタに関する。
【背景技術】
【０００２】
電子カードは、デジタルカメラとノートパソコン等電子製品に広範囲に応用されており、記憶空間を拡張し、記憶空間が不足の問題を解決している。電子カードは、通常、複数の外部と信号伝送を行う接触パッドを設置に、電子カードコネクタは、通常、電子装置の回路板に固定され、1つ以上の電子カードスロットを提供することができ、電子カードに回路板との電気接続を達成させ、電子カードと回路板との間の信号を伝送することに用いる。
【０００３】
公知の電子カードコネクタは、絶縁本体と、遮蔽殻体と、回路板と接続パッドを接続することに用いる複数の接続端子と、を含む。絶縁本体は、カード収容槽と、複数の端子溝を有する。遮蔽殻体は、絶縁本体を覆蓋する。複数の接続端子は、それぞれ端子溝内に固持される。電子カードがカード収容槽内にしっかりと挿入設置されているか否かを確認するため、絶縁本体上に通常、検出開閉を設置し、該検出開閉は、固定端子と、固定端子を活動可能に接続される可動端子と、を含む。電子カードが正確に挿入されている時、該可動端子を該固定端子に接触するように推し、導電回路を構成し、検出機能を実現する。
【先行技術文献】
【特許文献】
【０００４】
【特許文献１】特開２００７−２７０３０号公報
【考案の概要】
【考案が解決しようとする課題】
【０００５】
しかしながら、公知の電子カードコネクタは、電子カードが挿入設置されているか否かの検出に、異なる固定端子、可動端子を組み合わせて開閉を検出する必要があり、製品を生産時に２種の鋳型を開発する必要があり、その製品の製造コストが高くなる。
【０００６】
本考案の目的は、上記現有技術中の不足を克服し、生産コストが低く、検出機能を有するカードコネクタを提供することである。
【課題を解決するための手段】
【０００７】
上記の目的を達成する為、本考案が提供するカードコネクタは、絶縁本体と、複数の接続端子と、遮蔽殻体と、検出端子と、を含む。絶縁本体は、基板を有し、基板の一側に上向きに側壁を形成し、もう一側に上向きに収容体を形成し、側壁と、収容体と、基板がカード挿入空間を囲み、絶縁本体上に複数の端子溝と、収容槽を設ける。複数の接続端子は、それぞれ端子溝に装着され、該接続端子は、それぞれ固定端と、固定端から延伸形成される接触端と、固定端上に湾曲し延伸形成されるピン接続端と、を有し、接触端がカード挿入空間内に弾性的に伸入する。遮蔽殻体は、該絶縁本体上に覆蓋する。検出端子は、収容槽内に固持され、該検出端子は、カード保持部と、カード保持部の一端が湾曲して延伸形成する溶接部と、カード保持部のもう一端が傾斜して延伸形成する接続部と、接続部の末端から湾曲して延伸形成する弾性接触部と、有し、弾性接触部は、カード挿入空間内に弾性的に伸入し、該弾性接触部の位置と前記接続端子の接触端は、相対する。
本考案は、下記の特徴を有する。
（１）絶縁本体と、複数の接続端子と、遮蔽殻体と、検出端子と、を含み、
前記絶縁本体は、基板を有し、基板の一側に、上向きに側壁を延伸形成し、もう一側に上向きに収容体を延伸形成し、側壁と、収容体と、基板とがカード挿入空間を囲い、該絶縁本体上に複数端子と収容溝を設け、
前記複数の接続端子は、それぞれ端子溝内に装着され、該接続端子は、それぞれ固定端と、固定端から延伸形成する接触端と、固定端上から湾曲して延伸形成するピン接続端と、を有し、接触端がカード挿入空間内に弾性的に伸入し、
前記遮蔽殻体は、該絶縁本体上に覆蓋し、
前記検出端子は、収容溝内に固定保持され、該検出端子は、カード保持部と、カード保持部の一端から湾曲して延伸形成される溶接部と、カード保持部のもう一端から傾斜して延伸形成される接続部と、接続部の末端から湾曲して延伸形成される弾性接触部と、を有し、弾性接触部は、カード挿入空間内に弾性的に伸入し、該弾性接触部の位置と前記接続端子の接触端が相対するカードコネクタ。
（２）前記絶縁本体の一側壁上に基板底部を貫通する溝を開設し、収容溝が基板を貫通し且つ溝と相通する接続溝と、接続溝の側壁上に開設し且つ溝と相通するカード保持溝と、基板上表面から凹設し且つ接続溝一端と相通する凹溝と、を有し、凹溝と前記端子溝が相通し、検出端子のカード保持部がカード保持溝内に保持され、接続部が接続溝内に収容され、溶接部が溝内に収容される（１）記載のカードコネクタ。
（３）前記弾性接触部は、上向きに接触凸ブロックを凸設する（１）記載のカードコネクタ。
（４）前記絶縁本体上にカード挿入空間一側に位置する滑動凹溝を設け、滑動凹溝後壁上に一制限柱を凸設し、滑動凹溝内にカード取り外し機構を設置し、該カード取り外し機構は、滑動ブロックと、弾性部材と、導引ロッドと、を有し、該滑動ブロックは、該滑動凹溝中に滑動的に設置され、滑動ブロック一端は、該カード挿入空間方向に突出するフック部を有し、滑動ブロック上表面に軌跡曲線溝を開設し、滑動ブロック上に位置制限柱を凸設し、導引ロッド一端は、該絶縁本体上に固定され、もう一端が該活動ブロックの軌跡曲線溝中に活動的収容されることができる（１）記載のカードコネクタ。
（５）前記遮蔽殻体上に弾性圧制片を設置し、弾性圧制片が導引ロッド上に押圧される（４）記載のカードコネクタ。
（６）前記収容体と側壁端は、外向きに凸部を凸設し、基板上にピン溶接溝を凹設し、基板のもう一側に内向きに弾性片側溝を凹設し、遮蔽殻体は、マスク板と、それぞれ該マスク板一側から下向きに延伸形成する２つの側板と、を有し、側板上に内向きに傾斜する弾性片を延伸し、側板下縁に内向きに第１ピンと第２ピンを延伸形成し、両側板は、一端部にそれぞれカード溝をそれぞれ設け、弾性片が絶縁本体の弾性片側溝内に収容され、弾性片の末端が弾性片側溝の内壁に押圧され、第１ピンは、溶接溝上にフックし、カード溝が凸部と嵌合する（４）記載のカードコネクタ。
【考案の効果】
【０００８】
上記のように、本考案のカードコネクタの検出端子は、電子カード挿入前に接続端子と相互に接続していないが、電子カードを挿入後、電子カード上の接触パッドが検出端子の弾性接触部と相応する接続端子の接続端とに同時に接触し、検出端子と相応する接続端子を導通させ、電子カードが正確に挿入されているか否かを検出する機能を実現する。
【図面の簡単な説明】
【０００９】
【図１】本考案のカードコネクタの立体図である。
【図２】本考案のカードコネクタの立体分解図である。
【図３】図２が示す遮蔽殻体の他の角度の立体図である。
【図４】図２が示す絶縁本体と検出端子の組み合わせ関係の立体図である。
【図５】図２が示す検出端子の他の角度の立体図である。
【図６】電子カードの立体図である。
【図７】本考案のカードコネクタの電子カード挿入後の遮蔽殻体の部分断面立体図である。
【考案を実施するための形態】
【００１０】
本考案の技術的内容、構造特徴、達成する目的と効果を詳細に説明する為、以下に実施例を図面に合わせて説明する。
【００１１】
図１及び図２において、本考案のカードコネクタは、絶縁本体１と、複数の接続端子２と、カード取り出し機構３と、検出端子４と、遮蔽殻体５と、を有し、電子カード６をカードコネクタ内に挿入させ、信号の伝達を行わせ、図６に示すように、電子カード６の前端寄りの表面上に複数の接続パッド６１を設け、電子カード６の側辺に切り口６２を設ける。
【００１２】
図２、図４において、絶縁本体１は、矩形ブロック状を呈する基板１１１を有し、基板１１１の一側に上向きに側壁１１２を延伸形成し、もう一側に上向きに収容体１２３を延伸し、側壁１１２と、収容体１２３と、基板１１１がカード挿入空間１１３を囲い、絶縁本体１上に複数の端子溝１１７と収容槽１１５を設け、絶縁本体１上に挿入空間１１３一側に位置する滑動凹溝１１９を設け、滑動凹溝１１９の後壁上に位置制限柱１１８を凸設し、絶縁本体１一側壁１１２上に基板１１１底部を貫通する溝１２２を開設し、収容槽１１５は、基板１１１を貫通し且つ溝１１２と相通する接続溝１１５２と、接続溝１１５２の側壁上に開設され、且つ溝１２２と相通するカード保持溝１１５３と、基板１１１上表面から凹設し且つ接続溝１１５２の一端と相通する凹溝１１５１と、を有し、凹溝１１５１と前記端子溝１１７が相互に連通する。収容体１２３と側壁１１２後端は、外向きに凸部１１４を凸設し、基板１１１は、滑動凹溝１１９寄りの一側に内向きに溶接溝１２１を凹設し、基板１１１のもう一側に内向きに弾性片側溝１１６を凹設する。
【００１３】
図２において、接続端子２は、導電性を有する金属材料で形成され、長方形状を呈し、該接続端子２は、それぞれ固定端２２と、固定端２２の後端から後ろ向きに延伸し、上向きに傾斜形成される接触端２３と、固定端２２の前端から下向きに湾曲して延伸後、更に前向きに延伸形成されるピン接続端２１を有する。接続端子２の固定端２２は、端子溝１１７内に嵌合され、接触端２３は、該カード挿入空間１１３内に弾性的に伸入し、ピン接続端２１は、該絶縁本体１底部外に伸出し、回路板（図示せず）上に溶接される。
【００１４】
カード取り外し機構３は、絶縁本体１のカード挿入空間１１３一側に設置され、該カード取り出し機構３は、滑動ブロック３１と、弾性部材３２と、導引ロッド３３と、を含む。滑動ブロック３１は、該滑動凹溝１１９中に滑動的に設置され、滑動ブロック３１は、長方形ブロック体であり、滑動ブロック上に定位柱３１２を凸設し、滑動ブロック上表面に軌跡曲線溝３１３を開設し、滑動ブロック３１一端にカード挿入空間１１３方向に突出するフック部３１１を形成し、フック部３１１は、電子カード６一側の切り口６２をフックすることができ、電子カード６を取り出す時、弾性部材３２の弾性力が強すぎてカードが飛び出すことを回避する。弾性部材３２一端が位置制限柱１１８を套設し、もう一端は定位柱３１２上に套設し、位置制限柱１１８及び定位柱３１２は、弾性部材３２の活動範囲を制限することに用い、弾性部材３２は、該滑動ブロック３１に前向き移動の復位力量を施すことができる。導引ロッド３３一端は、該絶縁本体１上に挿入固定され、もう一端は、該滑動ブロック３１の軌跡曲線溝３１３に滑動的に収容されることができ、該導引ロッド３３は、軌跡曲線溝３１３中、２段に別れて運動し、それぞれカード挿入、取り外しの効果を達成する。
【００１５】
図２及び図３において、遮蔽殻体５は、マスク板５１と、それぞれ該マスク板５１一側から下向きに延伸形成される２つの側板５２と、を有し、遮蔽殻体５のマスク板５１は、圧制片溝５１１と、圧制片溝５１１の一辺縁から下向きに傾斜して延伸形成される弾性圧性片５５と、を有し、該弾性圧制片５５は、導引ロッド３３上に押圧され、該導引ロッド３３は、該軌跡曲線溝３１３中に安定的収容されることができる。側板５２上に弾性片溝５４１と、弾性片溝５４１の辺縁から内向きに傾斜して延伸形成される弾性片５４と、を有し、弾性片５４の末端が弾性片側溝１１６の内壁に押圧され、側板５２下縁に内向きにＬ形を呈する第１ピン５６と第２ピン５７を延伸形成し、第１ピン５６と第２ピン５７は、回路板（図示せず）上に溶接され、２つの側板５２一端は、それぞれ絶縁本体１の側壁１１２上の凸部１１４と嵌合するカード溝５３を設ける。
【００１６】
図２、図５において、検出端子４は、導電性を有する金属材料で形成され、該検出端子４は、片状を呈するカード保持部４２を有し、カード保持部４２一端は、下向きに湾曲して延伸した後、更に、溶接部４１を前向きに延伸形成し、カード保持部４２のもう一端は、前向き且つ上向きに傾斜し、接続部４３を延伸形成し、接続部４３の末端は、側向き且つ上向きに湾曲し、延伸した後、更に下向きに湾曲し、弾性接触部４４を延伸形成し、弾性接触部４４は、上向きに接触凸ブロック４４１を凸設し、該弾性接触部４４の位置と前記接続端子２の接触端２３が相互に対応し、カード保持部４２が、カード保持溝１１５３内に保持され、溶接部４１が溝１２２内に収容され、溶接部４１が回路板（図示せず）上に溶接され、接続部４３は、接続溝１１５２内に収容され、弾性接触部４４が凹溝１１５１からカード挿入空間１１３内に弾性的に伸入する。
【００１７】
図７において、本考案のカードコネクタの検出端子４は、電子カード６挿入前、接続端子２と相互に接続していない。電子カード挿入後、電子カード６上の接触パッド６１は、接続端子２の接触端２３に接触し、接触パッド６１は、同時に検出端子４の弾性接触部４４上の接触凸ブロック４４１に接触し、検出端子４と相応する接続端子２を電機接続させ、電子カードが正確に挿入されているかの検出機能を実現する。
【符号の説明】
【００１８】
１  絶縁本体
１１１  基板
１１２  側壁
１１３  カード挿入空間
１１４  凸部
１１５  収容槽
１１５１  凹溝
１１５２  接続溝
１１５３  カード保持溝
１１６  弾性片側溝
１１７  端子溝
１１８  位置制限柱
１１９  活動凹溝
１２１  溶接溝
１２２  溝
１２３  収容体
２  接続端子
２１  ピン接続端
２２  固定端
２３  接触端
３  カード取り出し機構
３１  滑動ブロック
３１１  フック部
３１２  定位柱
３１３  軌跡曲線溝
３２  弾性部材
３３  導引ロッド
４  検出端子
４１  溶接部
４２  カード保持部
４３  接続部
４４  弾性接触部
４４１  接触凸ブロック
５  遮蔽殻体
５１  マスク板
５１１  圧制片溝
５２  側板
５３  カード溝
５４  弾性片
５４１  弾性溝
５５  弾性圧制片
５６  第１ピン
５７  第２ピン
６  電子カード
６１  接触パッド
６２  切り口
【図１】
0003150838.tif 000003
【図２】
0003150838.tif 000004
【図３】
0003150838.tif 000005
【図４】
0003150838.tif 000006
【図５】
0003150838.tif 000007
【図６】
0003150838.tif 000008
【図７】
0003150838.tif 000009